(57)【要約】【課題】よりセキュリティレベルの高いユーザ認証を可能とする、ことを目的とする。【解決手段】アクティブペンは、ユーザが携帯でき、かつユーザにより把持される認証媒体として機能する。ノートＰＣは、アクティブペンによってユーザの指紋認証を行うと共にサイン認証をノートＰＣで行う。そして、ノートＰＣは、指紋認証結果及びサイン認証結果を示す認証結果情報がアクティブペンから送信され、認証結果情報が認証成功を示している場合にロックを解除する。【選択図】図７
2017151884.tif 000002
【特許請求の範囲】
【請求項１】
ユーザが携帯でき、かつユーザにより把持される認証媒体であって、
ユーザの身体に係る固有情報を検出する第１検出手段、及びユーザによる入力操作の軌跡を検出する第２検出手段の少なくとも一方である認証用検出手段と、
前記認証用検出手段によって検出された検出情報に基づいて、ユーザ認証を行う認証手段と、
前記認証手段による認証結果を示す認証情報を情報処理装置へ送信する送信手段と、
を備える認証媒体。
【請求項２】
前記第１検出手段は、ユーザの指紋を検出する指紋検出手段であり、
前記認証手段は、前記指紋検出手段によって検出された前記指紋に基づいて前記ユーザ認証を行う指紋認証手段を含む請求項１記載の認証媒体。
【請求項３】
ペン形状とされ、ユーザにより把持される本体部を備え、
前記指紋検出手段は、ユーザが前記本体部を把持した場合にユーザの指先に対応する位置に備えられる請求項２記載の認証媒体。
【請求項４】
ペン形状とされ、ユーザにより把持される本体部を備え、
前記第２検出手段は、ユーザによる入力操作の軌跡を検出する第１軌跡検出手段であり、
前記認証手段は、前記第１軌跡検出手段によって検出された前記軌跡に基づいて前記ユーザ認証を行う軌跡認証手段を含む請求項１から請求項３の何れか１項記載の認証媒体。
【請求項５】
更に前記本体部の先端に加えられる圧力を検出する圧力検出手段を備え、
前記圧力検出手段によって検出された前記圧力は、前記ユーザ認証に用いられる請求項４記載の認証媒体。
【請求項６】
ユーザにより保持される認証媒体から、ユーザの身体に係る固有情報に基づく認証結果を受信する受信手段と、
前記認証媒体に対するユーザによる入力操作の軌跡を検出する第２軌跡検出手段と、
前記受信手段によって受信された前記認証結果、及び前記第２軌跡検出手段によって検出された前記軌跡に基づいて、ユーザ認証を行う認証手段と、
を備える情報処理装置。
【請求項７】
ユーザが携帯でき、かつユーザにより把持される認証媒体であって、
ユーザの身体に係る固有情報を検出する検出手段と、
ユーザによる入力操作の軌跡を、入力先の情報処理装置から受信する受信手段と、
前記検出手段によって検出された前記固有情報、及び前記受信手段によって受信された前記軌跡に基づいて、ユーザ認証を行う認証手段と、
前記認証手段による認証結果を示す認証情報を前記情報処理装置へ送信する送信手段と、
を備える認証媒体。
【請求項８】
ユーザが携帯でき、かつユーザにより把持される認証媒体であって、
ユーザの身体に係る固有情報を検出する第１検出手段と、
ユーザによる入力操作の軌跡を検出する第２検出手段と、
前記第１検出手段によって検出された前記固有情報、及び前記第２検出手段によって検出された前記軌跡を情報処理装置へ送信する送信手段と、
を備える認証媒体。
【請求項９】
請求項８に記載の認証媒体から、前記固有情報及び前記軌跡を受信する受信手段と、
前記固有情報及び前記軌跡に基づいて、ユーザ認証を行う認証手段と、
を備える情報処理装置。
【請求項１０】
ユーザが携帯でき、かつユーザにより把持される認証媒体であって、
ユーザの身体に係る固有情報を検出する検出手段と、
前記検出手段によって検出された前記固有情報を情報処理装置へ送信する送信手段と、
を備える認証媒体。
【請求項１１】
請求項１０に記載の認証媒体から、前記固有情報を受信する受信手段と、
前記認証媒体に対するユーザによる入力操作の軌跡を検出する第２軌跡検出手段と、
前記受信手段によって受信された前記固有情報、及び前記第２軌跡検出手段によって検出された前記軌跡に基づいて、ユーザ認証を行う認証手段と、を備える情報処理装置。
【請求項１２】
ユーザが携帯でき、かつユーザにより把持される認証媒体に備えられる認証用検出手段によって、ユーザの固有情報及びユーザによる入力操作の軌跡の少なくとも一方を検出する第１工程と、
前記第１工程で検出した前記固有情報及び前記軌跡の少なくとも一方に基づいて、前記認証媒体がユーザ認証を行う第２工程と、
前記第２工程による認証結果を示す認証情報を、前記認証媒体から情報処理装置へ送信する第３工程と、
前記情報処理装置が受信した前記認証情報が認証成功を示している場合に、前記情報処理装置は操作のロックを解除する第４工程と、
を有する認証方法。
【請求項１３】
ユーザが携帯でき、かつユーザにより把持され、ユーザの固有情報及びユーザによる入力操作の軌跡の少なくとも一方を検出する認証媒体が備えるコンピュータに、
検出した前記固有情報及び前記軌跡の少なくとも一方に基づいてユーザ認証を行う第１工程と、
前記第１工程による認証結果を示す認証情報を情報処理装置へ送信させる第２工程と、
を実行させるためのプログラム。
【発明の詳細な説明】
【技術分野】
【０００１】
本発明は、認証媒体、情報処理装置、認証方法、及びプログラムに関するものである。
【背景技術】
【０００２】
スマートフォン、タブレット端末またはノートブック型パーソナル・コンピュータ（ノートＰＣ）などのような情報処理装置には、システムに対するアクセスを制限するためのパスワードを設定することができる。
パスワードを入力することの煩雑さを解消するために、また、セキュリティレベルの高い認証方法として、特許文献１に記載されているような指紋認証等の生体認証が開発されている。
【先行技術文献】
【特許文献】
【０００３】
【特許文献１】特開２０１５−１８００号公報
【発明の概要】
【発明が解決しようとする課題】
【０００４】
しかしながら、情報処理装置が生体認証機能を有していても、ユーザが情報処理装置から離れた場合等、情報処理装置がユーザの管理下に無い場合に生体認証に係る認証情報を盗み取られる可能性は否定できない。このため、情報処理装置に対して、より高いセキュリティレベルの認証機能が求められている。
【０００５】
本発明は、このような事情に鑑みてなされたものであって、よりセキュリティレベルの高いユーザ認証を可能とする、認証媒体、情報処理装置、認証方法、及びプログラムを提供することを目的とする。
【課題を解決するための手段】
【０００６】
上記課題を解決するために、本発明の認証媒体、情報処理装置、認証方法、及びプログラムは以下の手段を採用する。
【０００７】
本発明の第一態様に係る認証媒体は、ユーザが携帯でき、かつユーザにより把持される認証媒体であって、ユーザの身体に係る固有情報を検出する第１検出手段、及びユーザによる入力操作の軌跡を検出する第２検出手段の少なくとも一方である認証用検出手段と、前記認証用検出手段によって検出された検出情報に基づいて、ユーザ認証を行う認証手段と、前記認証手段による認証結果を示す認証情報を情報処理装置へ送信する送信手段と、
を備える。
【０００８】
本発明の第二態様に係る情報処理装置は、ユーザにより保持される認証媒体から、ユーザの身体に係る固有情報に基づく認証結果を受信する受信手段と、前記認証媒体に対するユーザによる入力操作の軌跡を検出する第２軌跡検出手段と、前記受信手段によって受信された前記認証結果、及び前記第２軌跡検出手段によって検出された前記軌跡に基づいて、ユーザ認証を行う認証手段と、を備える。
【０００９】
本発明の第三態様に係る認証方法は、ユーザが携帯でき、かつユーザにより把持される認証媒体に備えられる認証用検出手段によって、ユーザの固有情報及びユーザによる入力操作の軌跡の少なくとも一方を検出する第１工程と、前記第１工程で検出した前記固有情報及び前記軌跡の少なくとも一方に基づいて、前記認証媒体がユーザ認証を行う第２工程と、前記第２工程による認証結果を示す認証情報を、前記認証媒体から情報処理装置へ送信する第３工程と、前記情報処理装置が受信した前記認証情報が認証成功を示している場合に、前記情報処理装置は操作のロックを解除する第４工程と、を有する。
【００１０】
本発明の第四態様に係るプログラムは、ユーザが携帯でき、かつユーザにより把持され、ユーザの固有情報及びユーザによる入力操作の軌跡の少なくとも一方を検出する認証媒体が備えるコンピュータに、検出した前記固有情報及び前記軌跡の少なくとも一方に基づいてユーザ認証を行う第１工程と、前記第１工程による認証結果を示す認証情報を情報処理装置へ送信させる第２工程と、を実行させる。
【発明の効果】
【００１１】
本発明によれば、よりセキュリティレベルの高いユーザ認証を可能とする、という効果を有する。
【図面の簡単な説明】
【００１２】
【図１】本発明の第１実施形態に係るノートＰＣの概略外観図である。
【図２】本発明の第１実施形態に係るアクティブペンの側面図である。
【図３】本発明の第１実施形態に係るノートＰＣの電気的構成を示すブロック図である。
【図４】本発明の第１実施形態に係るアクティブペンの電気的構成を示すブロック図である。
【図５】本発明の第１実施形態に係るユーザ認証機能に関するアクティブペンの機能ブロック図である。
【図６】本発明の第１実施形態に係るユーザ認証機能に関するノートＰＣの機能ブロック図である。
【図７】本発明の第１実施形態に係るユーザ認証処理の流れを示すフローチャートである。
【図８】本発明の第２実施形態に係るユーザ認証機能に関するアクティブペンの機能ブロック図である。
【図９】本発明の第２実施形態に係るユーザ認証機能に関するノートＰＣの機能ブロック図である。
【図１０】本発明の第２実施形態に係るユーザ認証処理の流れを示すフローチャートである。
【図１１】本発明の第３実施形態に係るユーザ認証機能に関するアクティブペンの機能ブロック図である。
【図１２】本発明の第３実施形態に係るユーザ認証機能に関するノートＰＣの機能ブロック図である。
【図１３】本発明の第３実施形態に係るユーザ認証処理の流れを示すフローチャートである。
【図１４】本発明の第４実施形態に係るユーザ認証機能に関するアクティブペンの機能ブロック図である。
【図１５】本発明の第４実施形態に係るユーザ認証機能に関するノートＰＣの機能ブロック図である。
【図１６】本発明の第４実施形態に係るユーザ認証処理の流れを示すフローチャートである。
【図１７】本発明の第５実施形態に係るユーザ認証機能に関するアクティブペンの機能ブロック図である。
【図１８】本発明の第５実施形態に係るユーザ認証機能に関するノートＰＣの機能ブロック図である。
【図１９】本発明の第５実施形態に係るユーザ認証処理の流れを示すフローチャートである。
【発明を実施するための形態】
【００１３】
以下に、本発明に係る認証媒体、情報処理装置、認証方法、及びプログラムの一実施形態について、図面を参照して説明する。
【００１４】
〔第１実施形態〕
以下、本発明の第１実施形態について説明する。
【００１５】
図１は、本実施形態に係る情報処理装置であるノートブック型パーソナル・コンピュータ（以下「ノートＰＣ」という。）１の概略外観図である。
【００１６】
ノートＰＣ１は、図１に示すように一例として、いずれも略直方体である本体側筐体２及びディスプレイ側筐体３を備える。
【００１７】
本体側筐体２は、入力部４を備える。入力部４は、ユーザが入力操作を行うためのユーザインターフェースであり、文字、コマンド等を入力する各種キーより構成されるキーボードや、画面上のカーソルを移動させたり、各種メニューを選択するタッチパッド、マウス、又はトラックポイント等を備えている。
【００１８】
ディスプレイ側筐体３は、画像を表示するタッチパネル７を備える。
タッチパネル７は、入力される表示データをビデオ信号に変換し、変換したビデオ信号に応じた各種情報を表示画面に表示すると共に、ユーザの指及びペン等の指示体を用いて行われる各種操作を検出する。
【００１９】
本体側筐体２及びディスプレイ側筐体３は、それぞれの端部で左右一対の連結部８ａ，８ｂによって連結されている。連結部８ａ，８ｂは、ヒンジであり、本体側筐体２及びディスプレイ側筐体３を開閉自在に支持している。
【００２０】
ノートＰＣ１は、本体側筐体２の一側面にアクティブペン（Active Electro Static Pen：ＡＥＳ Pen）１０を収容する収容部９を備える。
【００２１】
本実施形態に係るアクティブペン１０は、ユーザが携帯でき、かつユーザによって把持されてノートＰＣ１の入力デバイスとして使用される指示体である静電結合方式のタッチペンである。
また、本実施形態に係るアクティブペン１０は、詳細を後述するように、ユーザの身体に係る固有情報を検出する検出手段が備えられ、該固有情報によってユーザ認証（例えば生体認証）を行う認証媒体として機能する。
【００２２】
図２はアクティブペン１０の側面図である。
【００２３】
アクティブペン１０は、一例として、本体部１１が長尺、かつ断面が細径な略円柱形又は多角形のペン形状であって、樹脂材料等によって形成される。
【００２４】
アクティブペン１０の先端には、入力部１２が備えられている。
入力部１２は、タッチパネル７の画面上をタッチして所定の入力操作を行うためのものであり、先細りテーパ形状に形成されている。また、アクティブペン１０には、先端に加えられる圧力（以下「筆圧」という。）を検出する圧力センサー１４（図４参照）が備えられている。
【００２５】
アクティブペン１０は、ユーザが本体部１１を把持した場合にユーザの指先に対応する位置に、ユーザの身体に係る固有情報として指紋を検出する指紋センサー１３が備えられている。
指紋センサー１３は、アクティブペン１０の一部を平面状にすることで実装される。本実施形態に係る指紋センサー１３は、静電容量式とされるが、これに限らず、イメージセンサーを用いる光学式等、他の方式であってもよい。
また、指紋センサー１３が検出する指は、一例として親指とするが、これに限らず、他の指でもよい。また、指紋センサー１３はアクティブペン１０に複数備えられ、複数の指の指紋を検出してもよい。
【００２６】
指紋センサー１３によって検出された指紋及び圧力センサー１４によって検出された筆圧は、ユーザの固有情報としてユーザ認証に用いられる。
【００２７】
また、アクティブペン１０は、所定の電界（例えば電界振動周波数２０ｋＨｚ〜１．８ＭＨｚ若しくはＡＭ周波数又はＦＭ周波数、電界振幅３Ｖ〜１０Ｖ）を発生させることにより、ノートＰＣ１が備えるタッチパネル７との間で相互データ通信が可能とされている。すなわち、アクティブペン１０は、アクティブペン１０（ノートＰＣ１）へ情報を送信する送信手段及びタッチパネル７（ノートＰＣ１）から送信された情報を受信する受信手段として機能する。
【００２８】
図３は、ノートＰＣ１のハードウェアの構成を示す概略図である。
ノートＰＣ１は、ＣＰＵ（Central  Processing  Unit）２０、ＲＯＭ（Read  Only  Memory）２１、メモリ２２、ＬＣＤ（Liquid  Crystal  Display）２３、グラフィクスアダプタ２４、タッチセンサ２５、入力コントローラ２６、フラッシュメモリ２７、通信デバイス２８、及び電源回路２９を備えており、各部はバス３０を介して直接または間接的に接続されている。なお、タッチパネル７は、ＬＣＤ２３とタッチセンサ２５を含んで構成される。
【００２９】
ＣＰＵ２０は、バス３０を介して接続されたフラッシュメモリ２７に格納されたＯＳ（Operating System）によりノートＰＣ１全体の制御を行うと共に、フラッシュメモリ２７に格納された各種のプログラムに基づいて、入力部４やタッチパネル７等を介したユーザの操作に応じた処理を実行する機能を有する。
【００３０】
ＲＯＭ２１は、ＢＩＯＳ（Basic  Input/Output  System）や各種データ等を格納している。
【００３１】
メモリ２２は、キャッシュメモリやＲＡＭ（Random Access Memory）で構成されており、ＣＰＵ２０の実行プログラムの読み込み、及び実行プログラムによる処理データの書き込みを行う作業領域として利用される書き込み可能なメモリである。
【００３２】
ＬＣＤ２３は、ＣＰＵ２０の制御に従って、グラフィクスアダプタ２４からのビデオ信号を画像として表示する。
【００３３】
グラフィクスアダプタ２４は、ＣＰＵ２０の制御に従って、表示情報をビデオ信号に変換し、変換したビデオ信号をＬＣＤ２３に出力する。
【００３４】
タッチセンサ２５は、ＬＣＤ２３に対するユーザの指やアクティブペン１０のタッチ位置を検出して、入力コントローラ２６に出力する。そして、タッチセンサ２５は、ＬＣＤ２３の画面に表示される各種メニュー、アイコン、ボタン、及びキーボード等の画面オブジェクトを選択して入力操作を行ったり、テキストの入力操作や、スクロールやスワイプ等の画面操作がユーザの指やアクティブペン１０により行われる。また、タッチセンサ２５は、アクティブペン１０に対するユーザによる入力操作の軌跡、換言するとアクティブペン１０が移動した軌跡（以下「筆跡」という。）も検出（以下「サイン検出」という。）する。
なお、タッチセンサ２５は、例えば、静電容量方式のタッチセンサとされるが、ユーザの指やアクティブペン１０のタッチ位置を検出できればこれに限られない。
【００３５】
入力コントローラ２６は、プロセッサがＲＯＭ２１等に格納されたプログラムを実行することにより各種処理を行い、タッチセンサ２５の動作を制御する。なお、入力コントローラ２６は、アクティブペン１０による筆跡を軌跡情報としてＣＰＵ２０へ出力する。
【００３６】
なお、本実施形態に係るタッチパネル７は、所定の電界を発生させることにより、アクティブペン１０との間で相互データ通信が可能とされている。すなわち、タッチパネル７は、アクティブペン１０から送信された情報を受信する受信手段及びアクティブペン１０へ情報を送信する送信手段として機能する。
【００３７】
フラッシュメモリ２７は、ノートＰＣ１全体の制御を行うためのＯＳ、周辺機器類をハードウェア操作するための各種ドライバ、特定業務に向けられたアプリケーション、及び各種データやファイル等を格納する機能を有する。
また、フラッシュメモリ２７は、ノートＰＣ１で使用可能なアクティブペン１０の識別情報（以下「登録ペン識別情報」という。）、及びユーザのサインを示す情報（以下「登録サイン情報」という。）が記憶（登録）されている。この登録サイン情報は、ユーザ認証に用いられるものであり、サインの筆跡及び筆圧を示すユーザの固有情報である。
なお、ノートＰＣ１は、フラッシュメモリ２７に替わる記憶手段としてＨＤＤ（Hard Disk Drive）等、他の記憶手段を備えてもよい。
【００３８】
通信デバイス２８は、ネットワークを介して他のデバイスとの間で各種情報の通信を行う。また、通信デバイス２８は、アクティブペン１０との間で例えばBluetooth（登録商標）による無線通信を行ってもよい。
【００３９】
電源回路２９は、ＡＣアダプタ、インテリジェント電池、インテリジェント電池を充電するための充電器、及びＤＣ／ＤＣコンバータ等を備えており、ＣＰＵ２０の制御に従って、各デバイスに電力を供給する。
【００４０】
図４は、アクティブペン１０の電気的構成を示すブロック図である。
【００４１】
アクティブペン１０は、指紋センサー１３及び圧力センサー１４に加え、バッテリ４０、制御部４１、メモリ４２、及び変換部４３を備える。
【００４２】
バッテリ４０は、電池又は二次電池等であり、アクティブペン１０を構成する各部に電力を供給する。
【００４３】
制御部４１は、アクティブペン１０の制御を司る。また、制御部４１は、例えば、指紋センサー１３及び圧力センサー１４の検出値や、検出値に基づいたユーザ認証に認証結果等の情報を送信指示と共に変換部４３へ出力する。
【００４４】
変換部４３は、制御部４１から情報の送信指示がされた場合に、制御部４１から入力された情報を所定の電界周波数及び電界振幅の信号に変換し、入力部１２へ出力する。すなわち、変換部４３及び入力部１２は、タッチパネル７（ノートＰＣ１）から送信された情報を受信する受信手段及びタッチパネル７（ノートＰＣ１）へ情報を送信する送信手段として機能する。
【００４５】
メモリ４２は、制御部４１で実行されるプログラム、ユーザの指紋を示す情報（以下「登録指紋情報」という。）、及びアクティブペン１０の固有の識別情報等を記憶（登録）している。
【００４６】
本実施形態に係るノートＰＣ１は、アクティブペン１０が備える指紋センサー１３によって検出されたユーザの指紋等に基づいてユーザ認証が行われ、ユーザ認証が成功した場合にノートＰＣ１に対するユーザによる操作のロックを解除するユーザ認証機能（ユーザ認証処理ともいう。）を有する。
【００４７】
図５は、ユーザ認証機能に関するアクティブペン１０の機能ブロック図である。
【００４８】
制御部４１は、指紋認証部５０及び認証判定部５１を備える。
【００４９】
指紋認証部５０は、指紋センサー１３によって検出したユーザの指紋に基づいて認証を行う。具体的には、指紋認証部５０は、検出した指紋を示す指紋情報（以下「検出指紋情報」という。）と、メモリ４２に予め記憶されている登録指紋情報とを照合し、検出指紋情報が登録指紋情報と一致するか否かを判定する。そして、指紋認証の判定結果である指紋認証結果は、認証判定部５１へ出力される。
【００５０】
認証判定部５１は、ノートＰＣ１が備えるタッチパネル７から、入力部１２及び変換部４３を介してサイン認証結果（詳細は後述）が入力される。認証判定部５１は、サイン認証結果及び指紋認証結果が示すユーザ認証の成否に応じた認証結果情報を変換部４３へ出力する。認証結果情報は、サイン認証結果及び指紋認証結果が共に成功を示す場合に認証成功を示す一方、何れか一方でも失敗を示す場合に認証失敗を示す。
【００５１】
変換部４３は、圧力センサー１４によって検出した筆圧を示す筆圧情報を信号に変換する。また、変換部４３は、認証判定部５１から入力された認証結果情報を信号に変換する。信号に変換された筆圧情報や認証結果情報は、アクティブペン１０の識別情報と共に入力部１２を介してタッチパネル７に送信される。
【００５２】
図６は、ユーザ認証機能に関するノートＰＣ１の機能ブロック図である。
【００５３】
ＣＰＵ２０は、検出サイン情報生成部６０、サイン認証部６１、及びロック解除部６２を備える。
【００５４】
検出サイン情報生成部６０は、タッチパネル７及び入力コントローラ２６を介して、ユーザがタッチパネル７に記述したサインに関する情報が入力される。この情報は、アクティブペン１０を用いてユーザがタッチパネル７に記述したサインの軌跡を示す軌跡情報、アクティブペン１０から送信された筆圧情報である。
そして、検出サイン情報生成部６０は、軌跡情報と筆圧情報を統合した検出サイン情報を生成し、サイン認証部６１へ出力する。
【００５５】
サイン認証部６１は、検出サイン情報に基づいてサイン認証を行う。具体的には、サイン認証部６１は、検出サイン情報とフラッシュメモリ２７に予め記憶されている登録サイン情報とを照合し、検出サイン情報が登録サイン情報と一致するか否かを判定する。そして、サイン認証の判定結果であるサイン認証結果は、入力コントローラ２６及びタッチパネル７を介して、アクティブペン１０へ送信される。
【００５６】
ロック解除部６２は、アクティブペン１０から送信された認証結果情報が入力され、認証結果情報がユーザ認証の成功を示している場合、ノートＰＣ１のロックを解除し、ユーザがノートＰＣ１を操作できる状態とする。
なお、ロック解除部６２は、複数の固有情報（本実施形態では指紋情報及びサイン情報）に基づくユーザ認証が全て成功した場合に、ノートＰＣ１のロックを解除する。
【００５７】
図７は、本実施形態に係るユーザ認証処理の流れを示すフローチャートである。
図７に示されるステップ１００からステップ１１０はアクティブペン１０で実行される処理を示し、ステップ２００からステップ２０４はノートＰＣ１が備えるタッチパネル７で実行される処理を示し、ステップ３００からステップ３１０はノートＰＣ１が備えるＣＰＵ２０で実行される処理を示す。
【００５８】
ノートＰＣ１の主電源がオンとされ、アクティブペン１０によるタッチパネル７への入力が可能となると、ユーザは、アクティブペン１０を用いて自身のサインをタッチパネル７に記述する（ステップ１００）。これに伴い、サインを記述した際の筆圧情報がアクティブペン１０からタッチパネル７へ送信される（ステップ１０２）。
また、アクティブペン１０は、ユーザに把持されると指紋検出を行い（ステップ１０４）、検出指紋情報と登録指紋情報とを照合して指紋認証を行う（ステップ１０６）。
【００５９】
タッチパネル７は、受信した筆圧情報及び検出した軌跡情報をＣＰＵ２０へ出力する（ステップ２００）。
【００６０】
ＣＰＵ２０は、筆圧情報及び軌跡情報を統合して検出サイン情報を生成し（ステップ３００）、検出サイン情報と登録サイン情報とを照合してサイン認証を行う（ステップ３０２）。そして、ＣＰＵ２０は、サイン認証結果をタッチパネル７に出力する（ステップ３０４）。
【００６１】
アクティブペン１０による指紋検出とタッチパネル７によるサイン検出は、ユーザがタッチパネル７にサインを記述するときに、実質的に同時に行われるので、指紋認証とサイン認証も実質的に同時に行われることとなる。
【００６２】
タッチパネル７は、サイン認証結果をアクティブペン１０へ送信する（ステップ２０２）。
【００６３】
アクティブペン１０は、指紋認証結果及びサイン認証結果に基づいて認証判定を行い（ステップ１０８）、認証結果を示す認証結果情報及びアクティブペン１０の識別情報をタッチパネル７に送信する（ステップ１１０）。
【００６４】
タッチパネル７は、受信した認証結果情報及び識別情報をＣＰＵ２０へ出力する（ステップ２０４）。
【００６５】
ＣＰＵ２０は、入力された識別情報が予め登録されている登録ペン識別情報と一致している場合に、認証結果情報が認証成功を示しているか否かを判定し（ステップ３０６）、肯定判定の場合はロックの解除を行う（ステップ３０８）。一方、否定判定の場合は認証失敗処理を行う（ステップ３１０）。認証失敗処理は、ユーザ認証に失敗したことをユーザに報知するために、所定の画像をタッチパネル７に表示させたり、認証失敗の連続回数を記憶する処理である。
【００６６】
以上説明したように、本実施形態に係るノートＰＣ１は、アクティブペン１０によってユーザの指紋認証を行うと共にサイン認証をノートＰＣ１で行う。そして、ノートＰＣ１は、指紋認証結果及びサイン認証結果を示す認証結果情報がアクティブペン１０から送信され、認証結果情報が認証成功を示している場合にロックを解除する。
【００６７】
このように、ノートＰＣ１は、ユーザが身に着けることが可能（ウェアラブル）、換言すると、ユーザが管理し易いアクティブペン１０によって指紋認証を行い、その結果によってロックの解除を行うので、よりセキュリティレベルの高いユーザ認証が可能となる。
また、本実施形態に係るアクティブペン１０を用いて自身のサインを記述するのみで、サイン認証と指紋認証が同時に行われるので、ユーザにとっての利便性が高くかつ、セキュリティレベルの高いユーザ認証が可能となる。
【００６８】
なお、ネットワークを介してノートＰＣ１と接続可能なサーバが、検出サイン情報生成部６０及びサイン認証部６１を備えると共に登録指紋情報及び登録サイン情報を記憶し、該サーバによってサイン認証が行われ、サイン認証結果がアクティブペン１０に送信されてもよい。
【００６９】
〔第２実施形態〕
以下、本発明の第２実施形態について説明する。
【００７０】
なお、本第２実施形態に係るノートＰＣ１及びアクティブペン１０の構成は、図１〜４に示す第１実施形態に係るノートＰＣ１及びアクティブペン１０の構成と同様であるので説明を省略する。
なお、アクティブペン１０は、登録サイン情報を予めメモリ４２に記憶している。
【００７１】
図８は、本実施形態に係るユーザ認証機能に関するアクティブペン１０の機能ブロック図である。なお、図８における図５と同一の構成部分については図８と同一の符号を付して、その説明を一部又は全部省略する。
【００７２】
制御部４１は、サイン認証部５２を備える。
サイン認証部５２は、ノートＰＣ１が備えるタッチパネル７から、入力部１２及び変換部４３を介して検出サイン情報が入力され、検出サイン情報に基づいてサイン認証を行う。具体的には、サイン認証部５２は、検出サイン情報とメモリ４２に予め記憶されている登録サイン情報とを照合し、検出サイン情報が登録サイン情報と一致するか否かを判定する。そして、サイン認証の判定結果であるサイン認証結果は、認証判定部５１出力される。
【００７３】
図９は、本実施形態に係るユーザ認証機能に関するノートＰＣ１の機能ブロック図である。なお、図９における図６と同一の構成部分については図６と同一の符号を付して、その説明を一部又は全部省略する。
【００７４】
ノートＰＣ１は、第１実施形態で備えていたサイン認証部６１を備えていない。
検出サイン情報生成部６０で生成された検出サイン情報は、入力コントローラ２６及びタッチパネル７を介して、アクティブペン１０へ送信される。
【００７５】
図１０は、本実施形態に係るユーザ認証処理の流れを示すフローチャートである。なお、図１０における図７と同一のステップについては図７と同一の符号を付して、その説明を一部又は全部省略する。
【００７６】
ＣＰＵ２０は、検出サイン情報を生成すると（ステップ３００）、検出サイン情報をタッチパネル７に出力する（ステップ３０１）。
【００７７】
タッチパネル７は、検出サイン情報をアクティブペン１０へ送信する（ステップ２０３）。
【００７８】
アクティブペン１０は、受信した検出サイン情報と登録サイン情報とを照合してサイン認証を行い（ステップ１０７）、指紋認証結果及びサイン認証結果に基づいて認証判定を行う（ステップ１０８）。
【００７９】
以上説明したように、本実施形態に係るノートＰＣ１は、アクティブペン１０によってユーザの指紋認証を行うと共に、検出サイン情報をタッチパネル７から受信してサイン認証を行う。そして、ノートＰＣ１は、指紋認証結果及びサイン認証結果を示す認証結果情報がアクティブペン１０から送信され、認証結果情報が認証成功を示している場合にロックを解除する。
【００８０】
このように、ノートＰＣ１は、ユーザが身に着けることが可能（ウェアラブル）なアクティブペン１０によって指紋認証と共にサイン認証を行い、その結果によってロックの解除を行うので、よりセキュリティレベルの高いユーザ認証が可能となる。また、本実施形態に係るサイン認証は、ノートＰＣ１は、登録サイン情報を記憶しないので、第１実施形態に係るサイン認証よりもよりセキュリティレベルが高い。
【００８１】
なお、ネットワークを介してノートＰＣ１と接続可能なサーバが、検出サイン情報生成部６０を備え、該サーバによって検出サイン情報が生成され、検出サイン情報がアクティブペン１０に送信されてもよい。
【００８２】
〔第３実施形態〕
以下、本発明の第３実施形態について説明する。
【００８３】
なお、本第３実施形態に係るノートＰＣ１及びアクティブペン１０の構成は、図１〜４に示す第１実施形態に係るノートＰＣ１及びアクティブペン１０の構成と同様であるので説明を省略する。
なお、アクティブペン１０は、アクティブペン１０に加えられる加速度の時間変化やアクティブペン１０の傾斜角度を検出する加速度センサー７０を備える。
【００８４】
図１１は、本実施形態に係るユーザ認証機能に関するアクティブペン１０の機能ブロック図である。なお、図１１における図８と同一の構成部分については図８と同一の符号を付して、その説明を一部又は全部省略する。
【００８５】
制御部４１は、加速度センサー７０及び検出サイン情報生成部５３を備える。
加速度センサー７０で検出された加速度は、加速度情報として検出サイン情報生成部５３へ出力される。
検出サイン情報生成部５３は、加速度センサー７０からの加速度情報及び圧力センサー１４からの圧力情報が入力される。
検出サイン情報生成部５３は、加速度情報により示される加速度の時間変化に基づいてアクティブペン１０の筆跡を示す軌跡情報を生成し、この軌跡情報と圧力情報とを統合して検出サイン情報を生成する。そして、検出サイン情報は、サイン認証部５２へ出力される。
【００８６】
図１２は、本実施形態に係るユーザ認証機能に関するノートＰＣ１の機能ブロック図である。なお、図１２における図６と同一の構成部分については図６と同一の符号を付して、その説明を一部又は全部省略する。
【００８７】
ノートＰＣ１は、第２実施形態で備えていた検出サイン情報生成部６０を備えず、ロック解除部６２を備える。
【００８８】
図１３は、本実施形態に係るユーザ認証処理の流れを示すフローチャートである。なお、図１３における図７と同一のステップについては図１０と同一の符号を付して、その説明を一部又は全部省略する。
【００８９】
アクティブペン１０は、ユーザがアクティブペン１０を用いて自身のサインをタッチパネル７上に記述すると（ステップ１００）、検出サイン情報を生成してサイン認証を行う（Ｓ１０３）。
そして、アクティブペン１０は、指紋認証結果及びサイン認証結果に基づいて認証判定を行う（ステップ１０８）。
【００９０】
以上説明したように、本実施形態に係るノートＰＣ１は、アクティブペン１０によって検出サイン情報を生成し、ユーザの指紋認証と共にサイン認証を行う。そして、ノートＰＣ１は、指紋認証結果及びサイン認証結果を示す認証結果情報がアクティブペン１０から送信され、認証結果情報が認証成功を示している場合にロックを解除する。
【００９１】
このように、ノートＰＣ１は、ユーザが身に着けることが可能（ウェアラブル）なアクティブペン１０によって指紋認証と共にサイン認証を行い、その結果によってロックの解除を行うので、よりセキュリティレベルの高いユーザ認証が可能となる。
【００９２】
〔第４実施形態〕
以下、本発明の第４実施形態について説明する。
【００９３】
なお、本第４実施形態に係るノートＰＣ１及びアクティブペン１０の構成は、図１〜４に示す第１実施形態に係るノートＰＣ１及びアクティブペン１０の構成と同様であるので説明を省略する。
【００９４】
図１４は、本実施形態に係るユーザ認証機能に関するアクティブペン１０の機能ブロック図である。なお、図１４における図１１と同一の構成部分については図１１と同一の符号を付して、その説明を一部又は全部省略する。
【００９５】
制御部４１が備える検出サイン情報生成部５３は、加速度センサー７０からの加速度情報及び圧力センサー１４からの圧力情報が入力される。
【００９６】
検出サイン情報生成部５３は、加速度情報により示される加速度の時間変化に基づいてアクティブペン１０の筆跡を示す軌跡情報を生成し、この軌跡情報と圧力情報とを統合して検出サイン情報を生成する。そして、検出サイン情報は、変換部４３へ出力される。
また、指紋センサー１３で検出された検出指紋情報は、変換部４３へ出力される。
【００９７】
変換部４３は、検出サイン情報及び検出指紋情報をノートＰＣ１へ送信する。
【００９８】
図１５は、本実施形態に係るユーザ認証機能に関するノートＰＣ１の機能ブロック図である。なお、図１５における図１２と同一の構成部分については図１２と同一の符号を付して、その説明を一部又は全部省略する。
【００９９】
ノートＰＣ１は、サイン認証部６１、ロック解除部６２、指紋認証部６３、及び認証判定部６４を備える。
【０１００】
サイン認証部６１は、アクティブペン１０からの検出サイン情報に基づいてサイン認証を行い、サイン認証結果を認証判定部６４へ出力する。
【０１０１】
指紋認証部６３は、アクティブペン１０からの検出指紋情報に基づいて指紋認証を行い、指紋認証結果を認証判定部６４へ出力する。
【０１０２】
認証判定部６４は、サイン認証結果及び指紋認証結果が示すユーザ認証の成否に応じた認証結果情報をロック解除部６２へ出力する。
【０１０３】
図１６は、本実施形態に係るユーザ認証処理の流れを示すフローチャートである。
図１６に示されるステップ１１０からステップ１１８はアクティブペン１０で実行される処理を示し、ステップ２１０からステップ２１２はノートＰＣ１が備えるタッチパネル７で実行される処理を示し、ステップ３１０からステップ３２０はノートＰＣ１が備えるＣＰＵ２０で実行される処理を示す。
【０１０４】
ノートＰＣ１の主電源がオンとされ、アクティブペン１０によるタッチパネル７への入力が可能となると、ユーザは、アクティブペン１０を用いて自身のサインをタッチパネル７に記述する（ステップ１１０）。これに伴い、検出サイン情報が生成され（ステップ１１２）、検出サイン情報がアクティブペン１０からタッチパネル７へ送信される（ステップ１１４）。
また、アクティブペン１０は、ユーザに把持されると指紋検出を行い（ステップ１１６）、検出指紋情報がアクティブペン１０からタッチパネル７へ送信される（ステップ１１８）。
【０１０５】
タッチパネル７は、受信した検出サイン情報及び検出指紋情報をＣＰＵ２０へ出力する（ステップ２１０，２１２）。
【０１０６】
ＣＰＵ２０は、検出サイン情報と登録サイン情報とを照合してサイン認証を行い（ステップ３１０）、検出指紋情報と登録指紋情報とを照合して指紋認証を行う（ステップ３１２）。
【０１０７】
ＣＰＵ２０は、指紋認証結果及びサイン認証結果に基づいて認証判定を行う（ステップ３１４）。
【０１０８】
ＣＰＵ２０は、認証成功となったか否か判定し（ステップ３１６）、肯定判定の場合はロックの解除を行う（ステップ３１８）。一方、否定判定の場合は認証失敗処理を行う（ステップ３２０）。
【０１０９】
以上説明したように、アクティブペン１０は、ユーザが身に着けることが可能（ウェアラブル）なアクティブペン１０によって指紋検出と共にサイン検出を行い、ノートＰＣ１に送信する。そして、ノートＰＣ１が、アクティブペン１０からの検出指紋情報及び検出サイン情報に基づいて、ユーザの指紋認証と共にサイン認証を行い、その結果によってロックの解除を行うので、よりセキュリティレベルの高いユーザ認証が可能となる。
【０１１０】
〔第５実施形態〕
以下、本発明の第５実施形態について説明する。
【０１１１】
なお、本第５実施形態に係るノートＰＣ１及びアクティブペン１０の構成は、図１〜４に示す第１実施形態に係るノートＰＣ１及びアクティブペン１０の構成と同様であるので説明を省略する。
【０１１２】
図１７は、本実施形態に係るユーザ認証機能に関するアクティブペン１０の機能ブロック図である。なお、図１７における図１４と同一の構成部分については図１４と同一の符号を付して、その説明を一部又は全部省略する。
【０１１３】
変換部４３は、圧力センサー１４からの筆圧情報及び指紋センサー１３からの検出指紋情報をノートＰＣ１へ送信する。
【０１１４】
図１８は、本実施形態に係るユーザ認証機能に関するノートＰＣ１の機能ブロック図である。なお、図１８における図１５と同一の構成部分については図１５と同一の符号を付して、その説明を一部又は全部省略する。
【０１１５】
ノートＰＣ１は、検出サイン情報生成部６０、サイン認証部６１、ロック解除部６２、指紋認証部６３、及び認証判定部６４を備える。
【０１１６】
検出サイン情報生成部６０は、アクティブペン１０を用いてユーザがタッチパネル７に記述したサインの軌跡を示す軌跡情報、アクティブペン１０から送信された筆圧情報を統合した検出サイン情報を生成し、サイン認証部６１へ出力する。
【０１１７】
図１９は、本実施形態に係るユーザ認証処理の流れを示すフローチャートである。なお、図１９における図１６と同一のステップについては図１６と同一の符号を付して、その説明を一部又は全部省略する。
【０１１８】
ノートＰＣ１の主電源がオンとされ、アクティブペン１０によるタッチパネル７への入力が可能となると、ユーザは、アクティブペン１０を用いて自身のサインをタッチパネル７に記述する（ステップ１１０）。これに伴い、筆圧情報がアクティブペン１０からタッチパネル７へ送信される（ステップ１１１）。
【０１１９】
タッチパネル７は、受信した筆圧情報及び検出した軌跡情報をＣＰＵ２０へ出力する（ステップ２１１）。
【０１２０】
ＣＰＵ２０は、筆圧情報及び軌跡情報を統合して検出サイン情報を生成し（ステップ３１０）、検出サイン情報と登録サイン情報とを照合してサイン認証を行う（ステップ３１１）。
【０１２１】
以上説明したように、アクティブペン１０は、ユーザが身に着けることが可能（ウェアラブル）なアクティブペン１０によって指紋検出と筆圧情報の検出を行い、ノートＰＣ１に送信する。一方、ノートＰＣ１は、タッチパネル７に記述したサインの軌跡を示す軌跡情報を検出する。そして、ノートＰＣ１が、アクティブペン１０からの検出指紋情報、及び検出した軌跡情報と受信した筆圧情報とを統合した検出サイン情報に基づいて、ユーザの指紋認証と共にサイン認証を行い、その結果によってロックの解除を行うので、よりセキュリティレベルの高いユーザ認証が可能となる。
【０１２２】
以上、本発明を、上記各実施形態を用いて説明したが、本発明の技術的範囲は上記実施形態に記載の範囲には限定されない。発明の要旨を逸脱しない範囲で上記各実施形態に多様な変更又は改良を加えることができ、該変更又は改良を加えた形態も本発明の技術的範囲に含まれる。また、上記各実施形態を適宜組み合わせてもよい。
【０１２３】
例えば、上記各実施形態では、認証媒体をタッチパネル７に対する指示体であるアクティブペン１０とする形態について説明したが、本発明は、これに限定されるものではなく、認証媒体は指紋センサー１３及び指紋認証機能を有し、ユーザが携帯でき、かつユーザによって把持が可能とされていれば、ペン形状に限らず他の形状とされてもよい。例えば、認証媒体は、指に装着するキャップ形状としても良い。また、認証媒体は、指紋センサー１３及び指紋認証機能の代わりに、指の静脈を検出する静脈センサー及び静脈認証機能を有しても良い。
【０１２４】
また、上記各実施形態では、ノートＰＣ１において、アクティブペン１０が移動した軌跡を検出する軌跡検出手段をタッチパネル７とする形態について説明したが、本発明は、これに限定されるものではなく、軌跡検出手段をタッチパッド等、他の検出手段とする形態としてもよい。
【０１２５】
また、上記各実施形態では、アクティブペン１０とタッチパネル７とが相互データ通信を行うことで、アクティブペン１０とノートＰＣ１とは認証結果情報等のユーザ認証に関する情報を送受信する形態について説明したが、本発明は、これに限定されるものではなく、アクティブペン１０とノートＰＣ１とは、Bluetooth（登録商標）等の他の通信手段によって相互データ通信を行う形態としてもよい。
【０１２６】
また、上記各実施形態では、サイン認証において圧力情報及び軌跡情報を用いる形態について説明したが、本発明は、これに限定されるものではなく、サイン認証において軌跡情報のみ、又は圧力情報のみを用いる形態としてもよい。
【０１２７】
また、上記各実施形態では、ユーザの指紋認証と共にサイン認証を行う形態について説明したが、本発明は、これに限定されるものではなく、アクティブペン１０によって指紋認証のみ、又はサイン認証のみを行う形態としてもよい。
【０１２８】
また、上記各実施形態では、ユーザの固有情報を指紋及びサインとする形態について説明したが、本発明は、これに限定されるものではなく、ユーザの身体に係る固有情報を例えば網膜、虹彩、及び音声等、生体認証を行える他の固有情報とする形態としてもよい。
【０１２９】
また、上記各実施形態では、情報処理装置を可搬型のノートＰＣ１とする形態について説明したが、本発明は、これに限定されるものではなく、例えば、タブレット型ＰＣ、携帯電話、スマートフォン、又は電子手帳等、各種携帯用情報機器等の情報処理装置としてもよいし、デスクトップ型のＰＣ等、可搬型でない情報処理装置に適用されてもよい。
【０１３０】
また、上記各実施形態で説明したユーザ認証処理の流れも一例であり、本発明の主旨を逸脱しない範囲内において不要なステップを削除したり、新たなステップを追加したり、処理順序を入れ替えたりしてもよい。
【符号の説明】
【０１３１】
１    ノートＰＣ（情報処理装置）
７    タッチパネル（検出手段、第２軌跡検出手段）
１０  アクティブペン（認証媒体）
１１  本体部
１２  入力部（送信手段）
１３  指紋センサー（第１検出手段、指紋検出手段）
１４  圧力センサー（第２検出手段、圧力検出手段）
２８  通信デバイス（受信手段）
４３  変換部（送信手段）
５０  指紋認証部（指紋認証手段）
５２  サイン認証部（軌跡認証手段）
６１  サイン認証部（軌跡認証手段）
６２  ロック解除部（ロック解除手段）
７０  加速度センサー（第２検出手段、第１軌跡検出手段）
【図１】
2017151884.tif 000003
【図２】
2017151884.tif 000004
【図３】
2017151884.tif 000005
【図４】
2017151884.tif 000006
【図５】
2017151884.tif 000007
【図６】
2017151884.tif 000008
【図７】
2017151884.tif 000009
【図８】
2017151884.tif 000010
【図９】
2017151884.tif 000011
【図１０】
2017151884.tif 000012
【図１１】
2017151884.tif 000013
【図１２】
2017151884.tif 000014
【図１３】
2017151884.tif 000015
【図１４】
2017151884.tif 000016
【図１５】
2017151884.tif 000017
【図１６】
2017151884.tif 000018
【図１７】
2017151884.tif 000019
【図１８】
2017151884.tif 000020
【図１９】
2017151884.tif 000021
【手続補正書】
【提出日】平成29年6月14日(2017.6.14)
【手続補正１】
【補正対象書類名】特許請求の範囲
【補正対象項目名】全文
【補正方法】変更
【補正の内容】
【特許請求の範囲】
【請求項１】
ユーザが携帯でき、かつユーザにより把持される認証媒体であって、
ユーザの身体に係る固有情報を検出する第１検出手段、及びユーザによる入力操作の軌跡を検出する第２検出手段の少なくとも一方である認証用検出手段と、
ユーザ認証を行うために予め設定された登録認証情報を記憶する記憶手段と、
前記認証用検出手段によって検出された検出情報と前記登録認証情報とを照合することによってユーザ認証を行う認証手段と、
前記認証手段による認証結果を示す認証情報を情報処理装置へ送信する送信手段と、
を備える認証媒体。
【請求項２】
前記第１検出手段は、ユーザの指紋を検出する指紋検出手段であり、
前記認証手段は、前記指紋検出手段によって検出された前記指紋に基づいて前記ユーザ認証を行う指紋認証手段を含む請求項１記載の認証媒体。
【請求項３】
ペン形状とされ、ユーザにより把持される本体部を備え、
前記指紋検出手段は、ユーザが前記本体部を把持した場合にユーザの指先に対応する位置に備えられる請求項２記載の認証媒体。
【請求項４】
ペン形状とされ、ユーザにより把持される本体部を備え、
前記第２検出手段は、ユーザによる入力操作の軌跡を検出する第１軌跡検出手段であり、
前記認証手段は、前記第１軌跡検出手段によって検出された前記軌跡に基づいて前記ユーザ認証を行う軌跡認証手段を含む請求項１から請求項３の何れか１項記載の認証媒体。
【請求項５】
更に前記本体部の先端に加えられる圧力を検出する圧力検出手段を備え、
前記圧力検出手段によって検出された前記圧力は、前記ユーザ認証に用いられる請求項４記載の認証媒体。
【請求項６】
前記認証用検出手段が前記第１検出手段を備える請求項１から請求項５の何れか１項に記載の認証媒体から、ユーザの身体に係る固有情報に基づく認証結果を受信する受信手段と、
前記認証媒体に対するユーザによる入力操作の軌跡を検出する第２軌跡検出手段と、
前記受信手段によって受信された前記認証結果、及び前記第２軌跡検出手段によって検出された前記軌跡に基づいて、ユーザ認証を行う認証手段と、
を備える情報処理装置。
【請求項７】
ユーザが携帯でき、かつユーザにより把持される認証媒体であって、
ユーザの身体に係る固有情報を検出する検出手段と、
ユーザによる入力操作の軌跡を、入力先の情報処理装置から受信する受信手段と、
ユーザ認証を行うために予め設定された登録認証情報を記憶する記憶手段と、
前記検出手段によって検出された前記固有情報、及び前記受信手段によって受信された前記軌跡を前記登録認証情報と照合することによってユーザ認証を行う認証手段と、
前記認証手段による認証結果を示す認証情報を前記情報処理装置へ送信する送信手段と、
を備える認証媒体。
【請求項８】
請求項７に記載の認証媒体から前記認証手段による認証結果を示す認証情報を受信する受信手段を備え、
前記受信手段により受信した前記認証情報が認証成功を示している場合に、操作のロックを解除する情報処理装置。
【請求項９】
ユーザが携帯でき、かつユーザにより把持される認証媒体に備えられる認証用検出手段によって、ユーザの固有情報及びユーザによる入力操作の軌跡の少なくとも一方を検出する第１工程と、
前記認証媒体において、前記第１工程で検出した検出情報と、ユーザ認証を行うために予め前記認証媒体に記憶された登録認証情報とを照合することによってユーザ認証を行う第２工程と、
前記第２工程による認証結果を示す認証情報を、前記認証媒体から情報処理装置へ送信する第３工程と、
前記情報処理装置が受信した前記認証情報が認証成功を示している場合に、前記情報処理装置は操作のロックを解除する第４工程と、
を有する認証方法。
【請求項１０】
ユーザが携帯でき、かつユーザにより把持され、ユーザの固有情報及びユーザによる入力操作の軌跡の少なくとも一方を検出する認証媒体が備えるコンピュータに、
前記認証媒体によって検出した検出情報と、ユーザ認証を行うために予め前記認証媒体に記憶された登録認証情報とを照合することによってユーザ認証を行う第１工程と、
前記第１工程による認証結果を示す認証情報を情報処理装置へ送信させる第２工程と、
を実行させるためのプログラム。
【手続補正２】
【補正対象書類名】明細書
【補正対象項目名】０００７
【補正方法】変更
【補正の内容】
【０００７】
本発明の第一態様に係る認証媒体は、ユーザが携帯でき、かつユーザにより把持される認証媒体であって、ユーザの身体に係る固有情報を検出する第１検出手段、及びユーザによる入力操作の軌跡を検出する第２検出手段の少なくとも一方である認証用検出手段と、ユーザ認証を行うために予め設定された登録認証情報を記憶する記憶手段と、前記認証用検出手段によって検出された検出情報と前記登録認証情報とを照合することによってユーザ認証を行う認証手段と、前記認証手段による認証結果を示す認証情報を情報処理装置へ送信する送信手段と、を備える。
【手続補正３】
【補正対象書類名】明細書
【補正対象項目名】０００８
【補正方法】変更
【補正の内容】
【０００８】
本発明の第二態様に係る情報処理装置は、本発明の第一態様に係る認証媒体から、ユーザの身体に係る固有情報に基づく認証結果を受信する受信手段と、前記認証媒体に対するユーザによる入力操作の軌跡を検出する第２軌跡検出手段と、前記受信手段によって受信された前記認証結果、及び前記第２軌跡検出手段によって検出された前記軌跡に基づいて、ユーザ認証を行う認証手段と、を備える。
【手続補正４】
【補正対象書類名】明細書
【補正対象項目名】０００９
【補正方法】変更
【補正の内容】
【０００９】
本発明の第三態様に係る認証方法は、ユーザが携帯でき、かつユーザにより把持される認証媒体に備えられる認証用検出手段によって、ユーザの固有情報及びユーザによる入力操作の軌跡の少なくとも一方を検出する第１工程と、前記認証媒体において、前記第１工程で検出した検出情報と、ユーザ認証を行うために予め前記認証媒体に記憶された登録認証情報とを照合することによってユーザ認証を行う第２工程と、前記第２工程による認証結果を示す認証情報を、前記認証媒体から情報処理装置へ送信する第３工程と、前記情報処理装置が受信した前記認証情報が認証成功を示している場合に、前記情報処理装置は操作のロックを解除する第４工程と、を有する。
【手続補正５】
【補正対象書類名】明細書
【補正対象項目名】００１０
【補正方法】変更
【補正の内容】
【００１０】
本発明の第四態様に係るプログラムは、ユーザが携帯でき、かつユーザにより把持され、ユーザの固有情報及びユーザによる入力操作の軌跡の少なくとも一方を検出する認証媒体が備えるコンピュータに、前記認証媒体によって検出した検出情報と、ユーザ認証を行うために予め前記認証媒体に記憶された登録認証情報とを照合することによってユーザ認証を行う第１工程と、前記第１工程による認証結果を示す認証情報を情報処理装置へ送信させる第２工程と、を実行させる。